(57)【要約】      （修正有）【課題】ホース巻き取り機に関し、ホース巻き取りプロセスの制御を行うクラッチ装置を提供する。【解決手段】ペダル２１が踏まれると、ペダル２１のトラニオン２２及び伝動軸２３の巻き取り方向を限定する関係により、伝動軸２３及びトグル部材２５が連動されて第一方向に所定の角度回転され、トグル部材２５が回転されて揺動されることにより上に向けた推進力が発生する。推進力が制動部材２７のトグル部２７２に作用し、制動部材２７により制動ロッド２６が連動されて第二方向に所定の角度回転され、復帰バネ２９が捩じられてエネルギーが蓄えられ、同時に制動部材２７のストッパー部２７１が制動盤１３の係合部１４から脱離され、制動盤１３の制動状態が解除される。リールが渦巻きバネの作用を受けて自動回転され、ホースがリールに巻き取られる。【選択図】図５
0003209593.tif 000002
【実用新案登録請求の範囲】
【請求項１】
ホース巻き取り機はケース、前記ケース中に設置される巻き取り装置及びクラッチ装置を有し、前記巻き取り装置は渦巻きバネにより制御されて自動回転を行うリールを備え、ホースは前記リール上に巻き取られるホース巻き取り機のクラッチ装置であって、
前記リールの軸端には制動盤が設置され、前記制動盤の円周には等分される位置に係合部がそれぞれ設けられ、
且つ、前記クラッチ装置は、
前記ケースの前面パネルの前に位置され、２つのトラニオンが前記前面パネルを貫通させるペダルと、
前記２つのトラニオンを貫通させると共に前記前面パネルの内側面の軸ピボット部に回転可能に枢着され、前記２つのトラニオンとは巻き取り方向を限定する関係を有する伝動軸と、
前記伝動軸の第一端に固定されるトグル部材と、
前記リールの軸心に平行すると共に前記ケース中に回転可能に設置され、前記制動盤の端部に対して制動部材が固設され、前記制動部材は前記制動盤の端部に対して前記係合部に適合されるストッパー部を有し、前記制動部材は前記制動盤とは異なる端部に前記トグル部材に接触されるトグル部を有する制動ロッドと、
前記制動ロッドに固設され、スイングアーム制限部を有する復帰部材と、
何れか１つのスイングアームが前記スイングアーム制限部に定位され、他のスイングアームが前記ケースの内面の固定位置に当接される復帰バネとを更に含むことを特徴とするホース巻き取り機のクラッチ装置。
【請求項２】
前記係合部は前記制動盤の円周に成形される接平面及び前記接平面に連接される接線角で構成されることを特徴とする、請求項１に記載のホース巻き取り機のクラッチ装置。
【請求項３】
巻き取り方向を限定する関係は、前記２つのトラニオンに設けられる幾何形状孔の断面に組み合わせられるように対応される幾何形状を呈する伝動軸で構成されることを特徴とする、請求項１に記載のホース巻き取り機のクラッチ装置。
【請求項４】
前記巻き取り方向を限定する関係は、前記伝動軸の十字型断面が前記２つのトラニオンの十字状孔に貫通されて枢着されることにより構成されることを特徴とする、請求項３に記載のホース巻き取り機のクラッチ装置。
【請求項５】
前記復帰部材は前記制動部材に一体で連設されることを特徴とする、請求項１に記載のホース巻き取り機のクラッチ装置。
【請求項６】
前記復帰バネはねじりバネであることを特徴とする、請求項１に記載のホース巻き取り機のクラッチ装置。
【請求項７】
前記ケースの前面パネルの内側面には前記２つのトラニオンに隣接される位置にトラニオン位置限定部材がそれぞれ設置されることを特徴とする、請求項１に記載のホース巻き取り機のクラッチ装置。
【請求項８】
前記復帰バネは前記制動ロッドのロッド端に枢着されることを特徴とする、請求項１に記載のホース巻き取り機のクラッチ装置。
【考案の詳細な説明】
【技術分野】
【０００１】
本考案は、ホース巻き取り機に関し、更に詳しくは、ホース巻き取りプロセスの制御を行うクラッチ装置に関する。
【背景技術】
【０００２】
ホース巻き取り機はリールの回転により、所定の延長長さを有する可撓性ホースを同心巻き取り方式により巻き取ることにより収納しやすくし、且つ可撓性ホースの管壁が圧迫や捻じ曲げられることにより変形しないように保護する。巻き取り方向と反対方向にホースが引っ張られることで、リールが牽引されて反回転することによりホースが解放される。リールは渦巻きバネが解放するエネルギーにより発生する動力により駆動されて回転を行い、自動的に巻き取られるという目的を達成する。
【０００３】
また、ホースの自動巻き取りプロセスはほぼ間断なく、ホースが全て巻き取られるか、巻き取りが何らかの力によって妨害されて停止されるまで続けられる。巻き取りを妨害する力はホースがリールに十分にきつく巻き付けられていない、ホースが偏位されている、捻じ曲げられている等の原因に起因する。巻き取りを妨害する力が発生すると、ホースを調整して妨害する力の原因を取り除かねば、自動巻き取りプロセスを再度実行することができなくなる。
【考案の概要】
【考案が解決しようとする課題】
【０００４】
しかしながら、従来の技術では、すなわち、引っ張り、巻き取り、及びホースの調整が反復して行われると、自動巻き取り動作に時間や労力が掛かるようになり、且つスムーズに行えなくなる。また、リールの自動巻き取りプロセスが巻き取りを妨害する力により強制的に停止されると、リールが損壊しやすくなる。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案は、ホース巻き取り機のクラッチ装置を提供することを目的とする。
【課題を解決するための手段】
【０００７】
上述した課題を解決し、上記目的を達成するための本考案に係るホース巻き取り機のクラッチ装置は、巻き取り機及びクラッチ装置を備える。前記巻き取り機は渦巻きバネにより制御されて自動回転を行うリールを含み、ホースは前記リールに巻き取られる。前記リールの軸端には制動盤が設置される。前記クラッチ装置はペダルが踏まれることにより、連接される伝動軸が駆動されて軸回転することでトグル部材が連動されて前記制動盤の回転を制限する制動部材がトグルされて前記制動盤が脱離し、これにより前記リールが回転を行い、ホースが巻き取られる。反対に、前記ペダルが踏まれる力から解放されると、前記クラッチ装置が復帰バネにより上述の制動部材、トグル部材、及び伝動軸を復帰させ、制動部材と制動盤との制動関係が回復し、ホースの巻き取りプロセスが停止される。
【考案の効果】
【０００８】
本考案によれば、以下の効果を有する。
（１）クラッチ装置は主にペダルが踏まれるか解放されることにより制動部材が駆動され、ホース巻き取り機のリールの制動盤がクラッチされ、ホースの巻き取りプロセスを制御する目的を達成する。
（２）前記クラッチ装置によりホースの自動巻き取りプロセスが段階的に制御される。
（３）使用者は片足でペダルを踏むことで前記クラッチ装置を制御することができ、便利で力も要らない。
（４）前記クラッチ装置によりホースの自動巻き取りプロセスが段階的に制御され、巻き取りを妨害する力の問題(例えば、ホースがリールに十分にきつく巻き付けられていない、ホースが偏位されている、ねじ曲がっている)が発生した場合、或いは発生する前に、ホースの自動巻き取りが暫定的に停止され、問題が取り除かれた後にホースの自動巻き取りプロセスが再開される。
（５）前記クラッチ装置により、ホースの自動巻き取りプロセスがよりスムーズになる。
（６）前記クラッチ装置により前記巻き取り機が保護されることにより、巻き取りを妨害する力のために損壊しやすくなる問題を回避できる。
（７）前記クラッチ装置により、ホースが引っ張られる長さが制御される。
【図面の簡単な説明】
【０００９】
【図１】本考案の一実施形態に係るホース巻き取り機及びそのクラッチ装置を示す外観斜視図である。
【図２】本考案の一実施形態に係るホース巻き取り機及びそのクラッチ装置を示す斜視の分解図である。
【図３】本考案の一実施形態に係るホース巻き取り機及びそのクラッチ装置の正面の組み合わせを示す傾斜図である。
【図４】本考案のホース巻き取り機及びそのクラッチ装置の背面の組み合わせを示す傾斜図である。
【図５】本考案のホース巻き取り機のクラッチ装置のクラッチ状態を呈する概略図（一）である。
【図６】本考案のホース巻き取り機のクラッチ装置のクラッチ状態を呈する概略図（二）である。
【考案を実施するための形態】
【００１０】
以下に図面を参照して、本考案を実施するための形態について、詳細に説明する。なお、本考案は、以下に説明する実施形態に限定されるものではない。
[実施形態]
【００１１】
以下、本考案の実施形態について、図面を参照しながら説明する。本考案に係るホース巻き取り機のケース１及びクラッチ装置のペダル２１の外観を示す。図２、図３、及び図４は前記ホース巻き取り機の内部を図示し、巻き取り機１１及びクラッチ装置２０を備える（図１参照）。
【００１２】
前記巻き取り機１１のリール１２は渦巻きバネ(図示せず)によりその自動回転が制御され、前記リール１２には可撓性のホース(図示せず)が巻き付けられる。巻き取り方向と反対に前記ホースが引っ張られることにより、前記リール１２が牽引されて反回転されてホースが解放される。前記リール１２が反回転されると同時に前記渦巻きバネにエネルギーが溜められ、前記ホースを引っ張る外力が消失すると、前記渦巻きバネがエネルギーを解放させて前記リール１２が連動されて自動回転を行い、ホースが前記リール１２に自動的に巻き取られる。前記リール１２の軸端には制動盤１３が設置され、前記制動盤１３の円周は等分される位置に係合部１４がそれぞれ設けられ、前記係合部１４は前記制動盤１３の円周に成形される接平面及び前記接平面に連接される接線角で構成される。
【００１３】
前記クラッチ装置２０は、ペダル２１と、伝動軸２３と、トグル部材２５と、制動ロッド２６と、制動部材２７と、復帰部材２８と、復帰バネ２９とを備える。前記ペダル２１は２つのトラニオン２２が前記ケース１の前面パネル２の開口部３を貫通させ、前記ペダル２１は前記前面パネル２の外側面に位置され、前記２つのトラニオン２２は前記前面パネル２の内側面に位置される。前記前面パネル２の内側面は前記２つのトラニオン２２に隣接される位置に前記２つのトラニオン２２の偏移を防止させるトラニオン位置限定部材４がそれぞれ設置される。前記伝動軸２３は２つのトラニオン２２を貫通させると共に前記前面パネル２の内側面の軸ピボット部２４中に回転可能に貫通されて枢着される。前記伝動軸２３及び前記２つのトラニオン２２は巻き取り方向を限定する関係を有し、前述の巻き取り方向を限定する関係は前記２つのトラニオン２２の幾何形状孔及び伝動軸２３の対応される幾何断面形状が組み合わせられることにより構成される。図面において、前記巻き取り方向を限定する関係は、前記伝動軸２３の十字型断面２３１が前記２つのトラニオン２２の十字状孔２２１に貫通されて枢着されることにより構成される。前記巻き取り方向を限定する関係により、前記ペダル２１が踏まれると前記２つのトラニオン２２により前記伝動軸２３が駆動されて所定の角度軸回転される。前記トグル部材２５は前記伝動軸２３の第一端に固定される。前記制動ロッド２６は、前記リール１２の軸心と平行すると共に前記ケース１に回転可能に設置されるロッド部材である。前記制動ロッド２６は前記制動盤１３に対する端部に前記制動部材２７が固設され、前記制動部材２７は前記制動盤１３に対する端部に前記係合部１４に適合されるストッパー部２７１を有し、前記制動部材２７は前記制動盤１３とは異なる端部に前記トグル部材２５に接触されるトグル部２７２を有する。前記復帰部材２８は前記制動ロッド２６に固設される。図面において、前記復帰部材２８は前記制動部材２７に一体で連設され、前記復帰部材２８はスイングアーム制限部２８１を提供し、前記制動ロッド２６のロッド端に枢着される復帰バネ２９が何れか１つのスイングアームをその中に制限させる。前記復帰バネ２９はねじりバネであり、他のスイングアームは前記ケース１の内面の固定位置に当接される。
【００１４】
図５を示すように、静止状態では、前記復帰バネ２９のトルクは前記復帰部材２８により前記制動部材２７に作用し、前記制動部材２７のストッパー部２７１が前記制動盤１３の係合部１４に接触される。これにより、前記制動盤１３及びリール１２の回転が制限され、前記ペダル２１が水平に保持され、前記トグル部材２５が前記制動部材２７のトグル部２７２に接触される。
【００１５】
また、図６を示すように、前記ペダル２１が踏まれると、前記ペダル２１のトラニオン２２及び伝動軸２３の巻き取り方向を限定する関係により、前記伝動軸２３及び前記トグル部材２５が連動されて第一方向（矢印Ａが指す方向）に所定の角度回転され、前記トグル部材２５が回転されて揺動されることにより上に向けた推進力が発生する。前記推進力が前記制動部材２７のトグル部２７２に作用し、前記制動部材２７により前記制動ロッド２６が連動されて第二方向(矢印Ｂが指す方向)に所定の角度回転され、前記復帰バネ２９が捩じられてエネルギーが蓄えられ、同時に前記制動部材２７のストッパー部２７１が前記制動盤１３の係合部１４から脱離され、前記制動盤１３の制動状態が解除される。前記リール１２が前述の渦巻きバネの作用を受けて自動回転され、ホースが前記リール１２に巻き取られる。
【００１６】
図５に戻って、前記ペダル２１が踏まれる力から解放されると、前記復帰バネ２９がエネルギーを解放させ、そのトルクが前記復帰部材２８により前記制動部材２７に作用し、前記制動部材２７及び制動ロッド２６が前記第二方向の反対方向に所定の角度回転され、前記制動部材２７のストッパー部２７１が前記制動盤１３の係合部１４に接触され、これにより前記制動盤１３及びリール１２の自動回転が制限される。また、前記制動部材２７のトグル部２７２により前記トグル部材２５が圧下されると、伝動軸２３が前記第一方向の反対方向に所定の角度回転され、前記２つのトラニオン２２が回転されて揺動されることにより、前記ペダル２１が水平位置を回復する。
【００１７】
総合すると、前記ペダル２１が持続的に踏まれることで、前記リール１２が持続的に回転され、連続的に間断無くホースの巻き取りプロセスが行われる。前記ペダル２１が断続的に踏まれたり、解放されたりすると、前記リール１２に回転及び停止が交互に作動する段階的回転が発生し、ホース巻き取りプロセスが段階的な作動となる。作動が停止されると、使用者がホースの巻き取りを妨害する力の問題に対する排除や予防措置を執れる。その後、前記ペダル２１が再度踏まれると、ホースの自動巻き取りプロセスが継続される。当然ながら、前記段階的なホースの巻き取りプロセスにより、ホースが外に向けて引っ張られる長さを調整可能である。
【００１８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１９】
１ ケース
２  前面パネル
３  開口部
４  トラニオン位置限定部材
１１  巻き取り機
１２  リール
１３  制動盤
１４  係合部
２０  クラッチ装置
２１  ペダル
２２  トラニオン
２２１  十字状孔
２３  伝動軸
２３１  十字型断面
２４  軸ピボット部
２５  トグル部材
２６  制動ロッド
２７  制動部材
２７１  ストッパー部
２７２  トグル部
２８  復帰部材
２８１  スイングアーム制限部
２９  復帰バネ
【図１】
0003209593.tif 000003
【図２】
0003209593.tif 000004
【図３】
0003209593.tif 000005
【図４】
0003209593.tif 000006
【図５】
0003209593.tif 000007
【図６】
0003209593.tif 000008